(57)【要約】【課題】対を成す温灸部を組合わせても、または温灸器の一方を独立して単独で手で持っても使用することができる温灸器を提供する。【解決手段】温灸器は、電源スイッチ、温度切替スイッチ等の各種調節手段を具えたコントローラーと、該コントローラーに接続され、少なくとも一つの固定式第１温灸部を有するベースユニットと、前記コントローラーに直接又は前記ベースユニットを介して接続され、直接手で持って第２温灸部を治療部位に当てることが可能なハンディユニットとから成る。前記ベースユニットは、前記固定式第１温灸部に対して前記ハンディユニットの第２温灸部を所定の間隔を置いて、前記ハンディユニットを着脱自在に保持できるハンディユニット保持部を有する。【選択図】図１
2007151790.tif 000002
【特許請求の範囲】
【請求項１】
ヒータ手段により加熱される温灸部を人体の治療部位に押し当てることにより温灸治療を実施するための温灸器であって、該温灸器は、
少なくとも一つの固定式第１温灸部を有するベースユニットと、
直接手で持って治療部位に第２温灸部を当てることが可能なハンディユニットと、
を具備し、前記ベースユニットは、前記固定式第１温灸部に対して前記ハンディユニットの第２温灸部を所定の間隔を置いて、前記ハンディユニットを着脱自在に保持できるハンディユニット保持部を有することを特徴とする温灸器。
【請求項２】
請求項１に記載の温灸器において、前記ハンディユニットは、第１温灸部と第２温灸部との間隔が調節できるように前記ハンディユニット保持部に装着されることを特徴とする温灸器。
【請求項３】
請求項１に記載の温灸器であって、該温灸器は更に、電源スイッチ、温度切換スイッチ等の各種調節手段を具えたコントローラーを有することを特徴とする温灸器。
【請求項４】
請求項１に記載の温灸器において、前記所定の間隔には、少なくとも６０ｍｍと１００ｍｍが含まれることを特徴とする温灸器。
【請求項５】
請求項１に記載の温灸器において、少なくとも前記ベースユニット及び前記ハンディユニットの何れか一方には、振動付与手段が設けられることを特徴とする温灸器。
【請求項６】
請求項１に記載の温灸器であって、該温灸器は更に、先端部に前記ハンディユニットを着脱自在に取り付け、且つ把持することができる延長アダプタを具備することを特徴とする温灸器。
【発明の詳細な説明】
【技術分野】
【０００１】
本発明は指圧効果とお灸効果を兼ね備えた温灸器に関し、より詳しくは、対を成す温灸部を組合わせても、又は一方の温灸部を独立して単独でも使用することができる温灸器に関する。
【背景技術】
【０００２】
従来から、血行を良くする、疲労を回復する、筋肉のこりや疲れをほぐす、胃腸の働きを活発にする、神経痛や筋肉痛をやわらげる等の治療効果を目的とした各種の温灸器が開発され、実用化されている。
【０００３】
そのような温灸器の第１の例としては、特開２００３−２５０８６１公報（特許文献１）に記載のような、若干湾曲した比較的太い棒状の把持部の先端に発熱部を一つのみ有し、把持部を自分で持って発熱部を治療部位に押し当てることにより、単一箇所の温灸治療を行なうように構成された、所謂手持ち型の温灸器がある。上記公報に記載の物は、温灸効果に加えてマッサージ効果も得るための振動手段も併せて有するが、振動手段を有さず、単に温灸効果だけを目的とした物もある。
【０００４】
手持ち型の温灸器の第２の例としては、特開平１１−２０６８４８号公報（特許文献２）に記載のような、アームの先端部に相互間の間隔が調整可能な複数の発熱部（施療部）を有し、人体の左右対称な位置に存在するツボを左右同時に押圧して治療するものがある。
【０００５】
更には、第３の例として、手持ち型ではなく、複数の温灸部を具えた温灸器を床面上に置き、例えば頚部を治療する場合、頚の左右対称のツボが複数の温灸部に載るように仰臥することにより温灸治療できる床置型又は据置型のものがある。
【０００６】
上記第１の例の温灸器では、治療範囲が手の届く範囲に限られること、及び構成部品がすべて把持部内に内蔵されているために重いという欠点がある。
【０００７】
上記第２の例の温灸器では、上記第１の例の欠点に加えて、複数の発熱部を同時に使用するものであるため、一箇所の治療部位への治療ができないという欠点がある。
【０００８】
上記第３の例の温灸器では、その構成上、治療方法が温灸器を床面上に置いた状態で仰向けなどの状態に限られるため、治療部位の移動が難しく、身体のごく一部を治療する等の使用には適さなかった。
【０００９】
【特許文献１】特開２００３−２５０８６１公報
【特許文献２】特開平１１−２０６８４８号公報
【発明の開示】
【発明が解決しようとする課題】
【００１０】
本発明は、斯かる実情に鑑み、対を成す温灸部を組合わせても、または温灸器の一方を独立して単独で手持ち型の温灸器としても使用することができる温灸器を提供することを目的とする。組合わせて使用する場合は、床置型としても、または手に持って使用することもできる。
【課題を解決するための手段】
【００１１】
上述した本発明の目的を達成するために、本発明によれば、
ヒータ手段により加熱される温灸部を人体の治療部位に押し当てることにより温灸治療を実施するための温灸器であって、該温灸器は、
電源スイッチ、温度切替スイッチ等の各種調節手段を具えたコントローラーと、
前記コントローラーに接続され、少なくとも一つの固定式第１温灸部を有するベースユニットと、
前記コントローラーに直接又は前記ベースユニットを介して接続され、直接手で持って第２温灸部を治療部位に当てることが可能なハンディユニットと、
を具備し、前記ベースユニットは、前記固定式第１温灸部に対して前記ハンディユニットの第２温灸部を所定の間隔を置いて、前記ハンディユニットを着脱自在に保持できるハンディユニット保持部を有することを特徴とする温灸器が提供される。
【００１２】
上記の温灸器において、前記ハンディユニットは、第１温灸部と第２温灸部との間隔が調節できるように前記ハンディユニット保持部に接続される。
【００１３】
上記の温灸器において、前記所定の間隔には、少なくとも６０ｍｍと１００ｍｍが含まれる。
【００１４】
上記の温灸器は更に、先端部に前記ハンディユニットを着脱自在に取り付け、且つ握持することができる延長アダプタを具備する。
【００１５】
上記の温灸器において、少なくとも前記ベースユニット及び前記ハンディユニットの何れか一方には、振動付与手段が設けられる。
【発明の効果】
【００１６】
本発明による温灸器によれば、対を成す温灸部の一方のハンディユニットをベースユニットから取り外して独立させれば、手持ち型温灸器と同様に、単一箇所の温灸治療を、治療者自身がハンディユニットを把持することの負担を感じることなく実施することができる。
【００１７】
また、ベースユニットにハンディユニットが組み合わされた状態では、対を成す温灸部相互間の間隔を調整することにより、人体の左右対称のツボに容易に合わせることができると共に、その上に例えば仰臥することで、温灸効果と十分な指圧効果を同時に得ることができる。
【発明を実施するための最良の形態】
【００１８】
以下、本発明を実施するための最良の形態を図示例と共に説明する。
【００１９】
図１〜図８は本発明を実施する形態の一例であって、全図を通して同一の符号を付した部分は同一物を表わしている。
【００２０】
図１は、本発明による温灸器の全体図である。同図において、参照番号１０はコントローラーを示す。コントローラー１０は、電源コード１１を介して商用電源から電力の供給を受ける。コントローラー１０は、温灸器が持つ機能を調節するものであり、少なくとも電源の入／切のための電源スイッチ１２と、後述する温灸部の温度調節を行なうための温度切替スイッチ１３とを有する。後述するベースユニット２０又はハンディユニット３０が振動機能を有する場合には、コントローラー１０にその入／切のための振動スイッチを設けることもできる。その他、電源スイッチ１２に関連して電源が「入」の状態を表わす電源ランプ、温度切替スイッチ１３に関連して温度の切替又は設定状態を表わす温度表示ランプ、振動スイッチに関連してその「入」を表わす振動ランプ等を設けることもできる。コントローラー１０は、コードを介して次に説明するベースユニット２０に接続される。接続の形態としては、コードによりコントローラー１０とベースユニット２０が直接接続されても良いし、又は、コントローラー１０からのコードの先端部のＴ字型メスコネクタ１６を、図２に示すように、ベースユニット２０の裏側に設けられたオスコネクタ１７に嵌合させることにより接続しても良い。後者の接続方法を採る場合、コントローラー１０のコードの先端部のＴ字型メスコネクタ１６を、後述するハンディユニット３０に直接接続することができ、ベースユニット２０を使用しないで、ハンディユニット３０のみを用いて治療する場合に特に都合が良い。なお、コントローラー１０は、ベースユニット２０に対して別体のものとして説明し且つ図示されているが、ベースユニット２０内に一体的に組み入れることも可能である。
【００２１】
ベースユニット２０の上部面の一方側には、上方に突出した第１温灸部２２が設けられる。温灸部２２は、内部の発熱体（ヒータ手段）の上にもぐさシート及び外キャップ、又はマスクキャップが取り付けられて構成される。なお、温灸部自体の構成は、従来の温灸器の温灸部と特に変わるものではない。温灸部２２はコードを介してコントローラー１０から制御された電力の供給を受ける。
【００２２】
図３に示す通り、ベースユニット２０の上部面には、第１温灸部２２に並んで、温灸部２２の中心軸と長径の軸が一致した細長状の、ハンディユニット３０を装着及び固定するための固定用保持部２４が設けられる。保持部２４は、ハンディユニット３０が第１温灸部２２の軸方向には、第１温灸部２２の中心軸とハンディユニット３０の第２温灸部の中心軸との相互間隔が少なくとも６０mmと１００mmで選択調整できる長径と、第１温灸部２２の中心軸と第２温灸部３２とを結ぶ線に対して直交する方向には移動できない短径とを有する長円形状となっている。
【００２３】
図３に示されている通り、保持部２４には、ハンディユニット３０の裏面に設けられた、ハンディユニット３０への電力受給の機能をも兼ねた金属ピン３６が入り込んだとき、第１温灸部２２の中心軸とハンディユニット３０の第２温灸部３２の中心軸との間隔が丁度６０ｍｍ又は丁度１００ｍｍとなる、金属ピン３６と同じ数のピン受けコネクタ２６が設けられている。ハンディユニット３０上の第２温灸部３２は、ユニット上に片寄って設けられているため、保持部２４への装着向きを１８０°変えることにより、両温灸部の中心位置間隔を、６０ｍｍと１００ｍｍに選択することができる。図１に示す状態は１００ｍｍ、図５に示す状態は６０ｍｍの間隔に選択された状態をそれぞれ示す。
【００２４】
ベースユニット２０に振動機能を持たせる場合には、図１に示すように、内側に振動モータ４０が設けられる。振動モータ４０を、温灸機能に加えて選択的に機能させるための振動スイッチ１５がベースユニット２０の側面に設けられる。なお、このスイッチ１５は、コントローラー１０側に設けても構わない。
【００２５】
ハンディユニット３０は、図６に示されるように、ちょうど片手で持つのに都合の良い大きさの把持部３１と、片寄って設けられた第２温灸部３２と、裏面にコントローラー１０からのコードのＴ字型メスコネクタ１６又はベースユニット２０のピン受けコネクタ２６に挿入される金属ピン３６（図４参照）とからなる。ハンディユニット３０は、この金属ピン３６を通して、先にも述べた通り、コントローラー１０から電力の供給を受ける。ハンディユニット３０の第２温灸部３２の構成は、ベースユニット２０が有する第１温灸部２２の構成と同じである。特に図示はしないが、ハンディユニット３０がある程度大きくなることを許容する場合には、ハンディユニット３０の内部にも、マッサージ効果を与えるための振動手段を設けることもできる。
【００２６】
次に、上記の構成を有する本発明による温灸器の使用方法を説明する。先ず最初にハンディユニット３０をベースユニット２０から独立させて単体で使用する場合を説明する。この場合、ハンディユニット３０の裏面の金属ピン３６は、コントローラー１０のコードの先端部のＴ字型メスコネクタ１６に挿入される。この状態でコントローラー１０の電源スイッチ１２が入れられると第２温灸部３２の発熱体の加熱が開始される。更に温度切替スイッチ１３により所望の温度（例えば、弱の５０℃±１０℃、又は強の８０℃−１０℃〜＋０℃）が選択される。治療者は自分自身でハンディユニット３０を手に持ち、主に合谷や足三里等の手の届く範囲のツボを一箇所づつ治療する。ハンディユニット３０内には、基本的に第２温灸部３２を構成する部品以外のものが無いので、その重量は軽く治療者が負担に感じることは無い。ハンディユニット３０内に振動手段がある場合には、温灸効果に加えてマッサージ効果も同時に得ることができる。
【００２７】
図７に示す延長アダプタ６０を用いることにより、背中にあるツボ等の直接手が届き難い箇所への温灸治療も可能となる。延長アダプタ６０は、把持部６１、該把持部に固定されたアーム部６２、該アーム部６２の先端の固定部６３とで構成される。アーム部６２は、図８に示すように湾曲しているものであっても構わない。延長アダプタ６０の固定部６３へのハンディユニット３０の固定は、これに限られるわけではないが、例えばネジ止めで行なう。
【００２８】
次に、ハンディユニット３０とベースユニット２０が組合されて使用される場合を説明する。この場合、コントローラー１０のコードのＴ字型メスコネクタ１６とベースユニット２０の裏面のピンコネクタ１７（図２参照）が接続され、更に、ハンディユニット３０の裏面のピン３６がベースユニット２０のピン受けコネクタ２６に、温灸部相互の間隔が６０ｍｍ又は１００ｍｍの何れかになるように挿入される。この状態で、第１温灸部２２と第２温灸部３２の高さは一致し、恰も最初からベースユニット３０に第１温灸部２２と第２温灸部３２があるような図１又は図５に示す状態になる。
【００２９】
上記状態で、コントローラー１０の電源スイッチ１２を入れると、第１温灸部２２及び第２温灸部３２が同時に加熱し始める。必要により、温度切替スイッチ１３の操作により所望の温度が選択される。
【００３０】
治療者は、第１及び第２温灸部２２，３２に首、背中、腰部などを当て、その上に仰臥することにより、左右両方のツボを同時に温灸治療することができる。第１温灸部２２と第２温灸部３２の間隔が６０ｍｍ、１００ｍｍと調整可能であるため、距離が狭い首の左右対称のツボや、それよりも間隔が離れている背中、腰部等の左右対称のツボにも、適切に合わせて温灸治療することができる。具体的には、６０ｍｍの間隔は、例えば首凝りや肩凝りに効く“風池”などの頚部のツボ刺激に、１００ｍｍの間隔は、例えば腰痛や坐骨神経痛に効く“志室”などの脊椎近傍のツボ刺激に有効である。
【００３１】
温灸効果に加えて、マッサージ効果を望む場合には、ベースユニット２０の側面にある振動スイッチ１５を操作することによりベースユニット２０内の振動手段（振動モータ）４０を動作させれば良い。
【００３２】
なお、本発明の温灸器は、上述の図示例にのみ限定されるものではなく、本発明の要旨を逸脱しない範囲内において種々変更を加え得ることは勿論である。
【図面の簡単な説明】
【００３３】
【図１】図１は、本発明による温灸器の全体構成図である。
【図２】図２は、本発明の温灸器のベースユニットの裏側の斜視図である。
【図３】図３は、ハンディユニットを取り外したときのベースユニットの斜視図である。
【図４】図４は、ハンディユニットの裏面の斜視図である。
【図５】図５は、温灸部の相互間隔を６０ｍｍとしたときの温灸器の斜視図である。
【図６】図６は、ハンディユニットの斜視図である。
【図７】図７は、温灸器の延長アダプタの外観図である。
【図８】図８は、温灸器の延長アダプタの他の実施例の外観図である。
【符号の説明】
【００３４】
１０    コントローラー
１１    電源コード
１２    電源スイッチ
１３    温度切替スイッチ
１５    振動スイッチ
１６    Ｔ字型メスコネクタ
１７    オスコネクタ
２０    ベースユニット
２２    第１温灸部
２４    保持部
２６    ピン受けコネクタ
３０    ハンディユニット
３１    把持部
３２    第２温灸部
３６    金属ピン
４０    振動モータ
６０    延長アダプタ
６１    把持部
６２    アーム部
６３    固定部
【図１】
2007151790.tif 000003
【図２】
2007151790.tif 000004
【図３】
2007151790.tif 000005
【図４】
2007151790.tif 000006
【図５】
2007151790.tif 000007
【図６】
2007151790.tif 000008
【図７】
2007151790.tif 000009
【図８】
2007151790.tif 000010